【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
バッテリー検知システムであって、
バッテリーの温度を測定するように構成される温度センサと、
前記バッテリーの放電の深さ（ＤＯＤ）に関連する前記バッテリーの定常状態挙動と遷移挙動とに関連付けられる所定のデータをストアするように構成されるメモリと、
前記バッテリーの電圧を測定し、前記電圧と前記所定のデータと前記温度とに基づいて前記バッテリーの充電状態（ＳＯＣ）を計算するように構成されるコントローラと、
を含む、システム。
【請求項２】
請求項１に記載のシステムであって、
前記コントローラが、複数のサンプリング時間の各々において前記電圧を測定し、前記ＳＯＣを計算するように構成され、前記バッテリーの定常状態挙動と遷移挙動とに関連付けられる所定のデータが、前記バッテリーの温度依存抵抗を含み、前記コントローラが、前記バッテリーの前記電圧と前記温度依存抵抗とに基づいて前記バッテリーにより生成される電流を推定するように構成され、更に、前のサンプリング時間における前記推定された電流に基づいて現在のサンプリング時間における前記バッテリーの前記ＳＯＣを計算するように構成される、システム。
【請求項３】
請求項１に記載のシステムであって、
前記バッテリーの前記定常状態挙動と遷移挙動とに関連付けられる所定のデータが、定常状態回路部と遷移回路部とを含むダイナミックバッテリーモデルとして前記バッテリーをモデル化することに基づいて判定され、前記ダイナミックバッテリーモデルが少なくとも一つのＲＣネットワークを含む、システム。
【請求項４】
請求項３に記載のシステムであって、
前記少なくとも１つのＲＣネットワークが、
直列に結合される第１のレジスタと第１のキャパシタとして構成される前記定常状態回路部に関連付けられる第１のＲＣネットワークと、
前記遷移回路部に関連付けられる少なくとも一つの第２のＲＣネットワークであって、各々が並列に結合される第２のレジスタと第２のキャパシタとして構成される、前記少なくとも１つの第２のＲＣネットワークと、
を含む、システム。
【請求項５】
請求項４に記載のシステムであって、
前記バッテリーの前記定常状態挙動と遷移挙動とに関連付けられる所定のデータが、全て前記バッテリーの複数のＤＯＤポイントの関数として、前記第１及び第２のキャパシタの静電容量値の比と、前記第１及び第２のレジスタの抵抗値の比と、前記第１のキャパシタの電圧に対する温度依存線形数式変数と、前記バッテリーの総抵抗に関連付けられる温度依存指数方程式変数とを含む、システム。
【請求項６】
請求項５に記載のシステムであって、
前記コントローラが、前記バッテリーの前記温度の関数として、前記第１及び第２のレジスタの抵抗値の前記比と前記バッテリーの総抵抗に関連付けられる温度依存指数方程式変数とに基づいて前記ダイナミックバッテリーモデルの前記第１及び第２のレジスタの前記抵抗値を計算するように、及び前記バッテリーの前記温度の関数として、前記第１及び第２のキャパシタの静電容量値の前記比と前記第１のキャパシタの電圧に対する温度依存線形数式変数とに基づいて前記ダイナミックバッテリーモデルの前記第１及び第２のキャパシタの前記静電容量値を計算するように構成される、システム。
【請求項７】
請求項６に記載のシステムであって、
前記コントローラが、前記バッテリーの経年劣化を把握するため前記メモリ内の前記バッテリーの前記温度の関数として、前記バッテリーの総抵抗に関連付けられる前記温度依存指数方程式変数を更新するように更に構成される、システム。
【請求項８】
請求項６に記載のシステムであって、
前記コントローラが、前記ダイナミックバッテリーモデルの前記第１及び第２のレジスタの前記抵抗値と前記ダイナミックバッテリーモデルの前記第１及び第２のキャパシタの前記静電容量値とに基づいて、及び前のサンプリング時間における前記バッテリーを介する前記推定された電流に基づいて、現在のサンプリング時間において前記バッテリーにより生成される電流を推定するように更に構成される、システム。
【請求項９】
請求項８に記載のシステムであって、
前記コントローラが、前記前のサンプリング時間における前記バッテリーの前記ＤＯＤの前記バッテリーの前記推定された電流に基づいて前記バッテリーの前記ＳＯＣを計算するように更に構成される、システム。
【請求項１０】
請求項３に記載のシステムであって、
前記バッテリーの前記定常状態挙動と遷移挙動とに関連付けられる所定のデータの少なくとも一部が、所定の負荷を前記ダイナミックバッテリーモデルに適用することと、前記所定の負荷を介する電流の関数として前記ダイナミックバッテリーモデルに関連付けられる電圧の変化を測定することとに基づいて判定される、システム。
【請求項１１】
請求項１０に記載のシステムであって、
前記バッテリーの前記定常状態挙動と遷移挙動とに関連付けられる前記所定のデータの少なくとも一部が、前記所定の負荷を取り除くと前記ダイナミックバッテリーモデルに関連付けられる電圧応答を測定することに基づいて判定される、システム。
【請求項１２】
バッテリーの充電状態（ＳＯＣ）を計算するための方法であって、前記方法が、
前記バッテリーの放電の深さ（ＤＯＤ）に関連する前記バッテリーの定常状態と遷移挙動とに関連付けられる所定のデータを判定するため定常状態回路部と遷移回路部とを含むダイナミックバッテリーモデルとして前記バッテリーをモデル化することと、
前記バッテリーの温度を判定することと、
前記バッテリーの電圧を測定することと、
メモリから前記所定のデータにアクセスすることと、
前記電圧と前記所定のデータと前記温度とに基づいて前記バッテリーの前記ＳＯＣを計算することと、
を含む、方法。
【請求項１３】
請求項１２に記載の方法であって、
前記バッテリーをモデル化することが、
前記定常状態回路部を、直列に結合される第１のレジスタと第１のキャパシタとしてモデル化することと、
前記遷移回路部を、並列に結合される第２のレジスタと第２のキャパシタとしてモデル化することと、
前記バッテリーの前記ＤＯＤの関数として、前記第１及び第２のキャパシタと前記第１及び第２のレジスタとの値を計算することであって、前記第１及び第２のキャパシタと前記第１及び第２のレジスタとの前記値が、前記バッテリーの前記定常状態挙動と遷移挙動とに関連付けられる所定のデータの一部を形成する、前記計算することと、
を含む、方法。
【請求項１４】
請求項１３に記載の方法であって、
前記バッテリーをモデル化することが、全て前記バッテリーの複数のＤＯＤポイントの関数として、前記第１及び第２のキャパシタの静電容量値の比と前記第１及び第２のレジスタの抵抗値の比と前記第１のキャパシタの電圧に対する温度依存線形数式変数と前記バッテリーの総抵抗とに関連付けられる温度依存指数方程式変数として、前記バッテリーの前記定常状態挙動と遷移挙動とに関連付けられる所定のデータを生成することを更に含む、方法。
【請求項１５】
請求項１４に記載の方法であって、
前記ＳＯＣを計算することが、
前記バッテリーの前記温度の関数として、前記第１及び第２のレジスタの抵抗値の前記比と前記バッテリーの総抵抗に関連付けられる前記温度依存指数方程式変数とに基づいて、前記ダイナミックバッテリーモデルの前記第１及び第２のレジスタの前記抵抗値を計算することと、
前記バッテリーの前記温度の関数として、前記第１及び第２のキャパシタの静電容量値前記比と前記第１のキャパシタの前記電圧に対する前記温度依存線形数式変数とに基づいて、前記ダイナミックバッテリーモデルの前記第１及び第２のキャパシタの前記静電容量値を計算することと、
を含む、方法。
【請求項１６】
請求項１５に記載の方法であって、
前記ＳＯＣを計算することが、
前記ダイナミックバッテリーモデルの前記第１及び第２のレジスタの前記抵抗値と前記ダイナミックバッテリーモデルの前記第１及び第２のキャパシタの前記静電容量値とに基づいて、及び前のサンプリング時間における前記バッテリーを介する前記推定された電流に基づいて、現在のサンプリング時間における前記バッテリーにより生成される電流を推定することと、
前記バッテリーにより生成される前記推定された電流と前記前のサンプリング時間における前記バッテリーの前記ＤＯＤとに基づいて、前記バッテリーの前記ＳＯＣを計算することと、
を更に含む、方法。
【請求項１７】
バッテリー検知システムであって、
バッテリーの温度を測定するように構成される温度センサと、
前記バッテリーの放電の深さ（ＤＯＤ）に関連する前記バッテリーの定常状態挙動と遷移挙動とに関連付けられる所定のデータをストアするように構成されるメモリと、
複数のサンプリングインタバルの各々で前記バッテリーの電圧のサンプルを獲得し、前記サンプリングインタバルと前記所定のデータと前記温度のそれぞれ一つにおける前記電圧とに基づいて前記複数のサンプリングインタバルの所定のサンプリングインタバルｋで前記バッテリーにより生成される対応する電流を直接の測定なしに推定し、前記サンプリングインタバルのそれぞれにおける前記バッテリーを介する前記推定された電流に基づいて、及び直前のサンプリングインタバルｋ−１における前記バッテリーの前記ＤＯＤに基づいて、前記バッテリーの充電状態（ＳＯＣ）を計算するように構成されるコントローラと、
を含む、システム。
【請求項１８】
請求項１７に記載のシステムであって、
前記バッテリーの前記定常状態挙動と遷移挙動とに関連付けられる前記所定のデータが、定常状態回路部と遷移回路部とを含むダイナミックバッテリーモデルとして前記バッテリーをモデル化することに基づいて判定され、前記静的及び遷移回路部の各々が少なくとも一つのＲＣネットワークを含む、システム。
【請求項１９】
請求項１８に記載のシステムであって、
前記バッテリーの前記定常状態挙動と遷移挙動とに関連付けられる前記所定のデータの少なくとも一部が、前記ダイナミックバッテリーモデルに所定の負荷を適用し、前記所定の負荷を介する電流の関数として前記ダイナミックバッテリーモデルに関連付けられる電圧の変化を測定することに基づいて判定される、システム。
【請求項２０】
請求項１９に記載のシステムであって、
前記バッテリーの前記定常状態挙動と遷移挙動とに関連付けられる前記所定のデータの少なくとも一部が、前記所定の負荷を取り除くと前記ダイナミックバッテリーモデルに関連する電圧応答を測定することに基づいて判定される、システム。
【請求項２１】
請求項１７に記載のシステムであって、
現在のサンプルでの前記バッテリー電流の推定が複数の以前の電圧サンプルに基づいている、システム。